(57)【要約】高周波加温治療装置（１０）は下部及び上部電極装置（１００、１２０）を有している。下部電極装置（１００）は電極板（１０１）を有している。電極板（１０１）の上面は、樹脂製の柔軟な薄膜（１０２）で覆われている。電極板（１０１）と薄膜（１０２）の間には、パイプ（１１０）が環に配置されている。パイプ（１１０）には複数の孔（１１０Ａ）が形成されている。上部電極装置（１２０）は下部電極装置（１００）と同様に構成されている。両電極装置（１００、１２０）間に生体部分（Ｒ）を配置し、両電極板（１０１、１２１）間に高周波を印加すると、生体部分（Ｒ）中の幹部が誘電加熱される。パイプ（１１０）に注入された水は孔（１１０Ａ）から噴出し、水流（Ｑ１、Ｑ２）を生じる。よって、電極板（１０１）と薄膜（１０２）との間の水（Ｗ）が攪拌される。したがって、生体部分（Ｒ）の表面（Ｒａ、Ｒｂ）に発生した熱は、表面（Ｒａ、Ｒｂ）に接する薄膜（１０２）を通じて水（Ｗ）に効率的に吸収される。
2016092654.tif 000002
【特許請求の範囲】
【請求項１】
吸熱液を流入、流出可能に収容した冷却パッドを一対の電極板と生体部分との間にそれぞれ配置し、前記一対の電極板間に高周波電力を印加させることにより前記生体部分を誘電加熱するとともに、前記一対の冷却パッド内のそれぞれに吸熱液を流入、流出させることによって、前記一対の電極板で挟み込まれている前記生体部分の発生熱を前記冷却パッドを介して吸熱していく高周波加温治療装置であって、
前記吸熱液を撹拌する撹拌手段を前記冷却パッド内に設けたことを特徴とする高周波加温治療装置。
【請求項２】
前記一対の電極板のそれぞれは、円形をなすとともに、その直径は前記生体部分の幅方向の寸法と略同一であることを特徴とする請求項１に記載の高周波加温治療装置。
【請求項３】
前記撹拌手段は、冷却パッド内に吸熱液を流入させる流入口に接続され且つ複数の孔を有する撹拌パイプを有し、前記流入口から流入される吸熱液を前記撹拌パイプ内に導入させて該撹拌パイプの複数の孔から噴出させることによって、冷却パッド内の吸熱液を撹拌させるようにしたことを特徴とする請求項１または請求項２に記載の高周波加温治療装置。
【請求項４】
前記撹拌パイプは、前記電極板の外周囲に沿って環状に形成され、
前記撹拌パイプの複数の孔は、前記冷却パッドの裏面に向けて吸熱液を噴出させることを特徴とする請求項３に記載の高周波加温治療装置。
【請求項５】
前記撹拌パイプは、前記電極板に対して直交する方向に設けられた軸パイプ部と、この軸パイプ部の先端から電極板の面に沿って配置された弾性変形可能な且つ前記複数の孔を有する回動パイプ部とを有し、
前記回動パイプ部は、前記複数の孔から吸熱液が噴出されることによって前記軸パイプ部を中心にして回動し、
前記回動パイプ部の複数の孔からの吸熱液の噴出を断続的に行うことによって、該回動パイプ部を所定範囲の間を往復回動させることを特徴とする請求項３に記載の高周波加温治療装置。
【請求項６】
前記回動パイプ部の複数の孔の向きは、この孔から噴出される吸熱液が冷却パッドの裏面に向うとともに回動パイプを回動させる方向に設定されていることを特徴とする請求項５に記載の高周波加温治療装置。
【請求項７】
前記撹拌パイプは、前記電極板の中央部にその電極面に直交する方向に設けた軸パイプ部と、この軸パイプ部の先端部に回転可能に設けられ且つ電極板の面に沿って配置された回転パイプ部とを有し、この回転パイプ部は前記複数の孔を有し、
前記回転パイプ部の複数の孔の向きは、この孔から噴出される吸熱液が前記冷却パッドの裏面に向うとともに回転パイプ部を回転させるように設定されていることを特徴とする請求項３に記載の高周波加温治療装置。
【請求項８】
前記冷却パッド内には、電極板の中央部に配置され且つ吸熱液を流入させる流入口と、この冷却パッド内の吸熱液を排出する排出口とが設けられ、
前記撹拌手段は、前記排出口に接続されるとともに電極板の周囲に沿って形成された環状の排出パイプと、この排出パイプに設けた複数の排出孔とを有し、この複数の排出孔から冷却パッド内の吸熱液を排出させることによって、該冷却パッド内の吸熱液を撹拌するようにしたことを特徴とする請求項１または請求項２に記載の高周波加温治療装置。
【請求項９】
前記冷却パッド内には、吸熱液が流入される流入口と、この冷却パッド内の吸熱液が排出される排出口とが設けられ、
前記撹拌手段は、前記流入口に設けた拡散部材であり、
この拡散部材は、前記流入口から冷却パッド内へ流出する吸熱液を拡散させて該冷却パッドの裏面に当てることを特徴とする請求項１または請求項２に記載の高周波加温治療装置。
【請求項１０】
吸熱液を冷却する冷却手段と、この冷却手段で冷却した吸熱液を前記冷却パッド内へ送給するポンプとを有する冷却装置を備え、
この冷却装置は、冷却された吸熱液を前記ポンプで冷却パッド内へ送給して、この冷却パッド内の吸熱液を前記冷却手段へ戻すことによって、該吸熱液を前記冷却パッドと冷却手段との間で循環させることを特徴とする請求項１ないし請求項９のいずれか１項に記載の高周波加温治療装置。
【請求項１１】
患部のある生体部分を一対の電極板に挟み込み、吸熱液を封入した冷却パッドをその一対の電極板と生体部分との間にそれぞれ配置し、前記一対の電極板間に高周波電力を印加させることにより前記患部を誘電加熱するとともに、前記各冷却パッド内に吸熱液を流入させるとともに該冷却パッド内の吸熱液を排出させることによって、前記冷却パッドを介して一対の電極板で挟み込まれている前記生体部分の表面の発生熱を吸熱していく高周波加温治療装置であって、
前記冷却パッド内に熱交換膜を配置して、この熱交換膜と電極板とで冷却液を封入した冷却室を形成するとともに、この熱交換膜と冷却パッドとで前記吸熱液を封入した吸熱室を形成し、
前記冷却液を冷却することにより前記熱交換膜を介して前記吸熱液を冷やす冷却装置を設け、
この冷却装置は、冷却液を冷却する冷却手段と、この冷却手段で冷却された冷却液を前記冷却室内へ送給するポンプとを有し、
前記ポンプで冷却室内へ冷却液を送給して、この冷却室内の冷却液を前記冷却手段へ戻すことによって、該冷却液を前記冷却室と冷却手段との間で循環させることを特徴とする高周波加温治療装置。
【請求項１２】
治療ベッドが配置される水平方向に貫通した開口部を有するガントリーを備え、
このガントリーの前記開口部の内周面の下部及び上部に前記電極板を上下動可能にそれぞれ設けた請求項１ないし請求項１１のいずれか１項に記載の高周波加温治療装置を備えたことを特徴とする高周波加温治療システム。
【発明の詳細な説明】
【技術分野】
【０００１】
この発明は、高周波の誘電加熱により患部を加温治療する高周波加温治療装置と高周波加温治療システムに関する。
【背景技術】
【０００２】
従来から、一対の電極板間に高周波電力を印加して、誘電加熱により患部を加温治療する高周波加温治療装置が知られている（特許文献１参照）。【０００３】
かかる高周波加温治療装置は、電極板と生体との間に水を封入した冷却パッドを配置し、冷却装置で冷却した水をその冷却パッド内に送給するとともに、この冷却パッド内の温まった水を冷却装置に戻すことにより、この冷却装置と冷却パッドの間を循環させている。冷却装置で冷却された水が冷却パッド内に送給されることによって、生体表面の発生熱をその冷却した水によって吸熱していくものである。
【先行技術文献】
【特許文献】
【０００４】
【特許文献１】特開２０１２−２２３３３９号公報
【発明の概要】
【発明が解決しようとうする課題】
【０００５】
しかしながら、冷却パッドは生体に当接させるため、その生体の形状に応じて冷却パッド内に凹凸が形成される。このため、その凹部内では水が淀む状態となり、この結果、その凹部内の水温が上昇してしまい、その凹部に当接する生体表面の発生熱の吸熱が行えなくなるという問題があった。
【０００６】
この発明の目的は、冷却パッド内に凹部が形成されてもその凹部に接する生体表面の発生熱の吸熱を確実に行うことのできる高周波加温治療装置と高周波加温治療システムを提供することにある。
【課題を解決するための手段】
【０００７】
請求項１の発明は、吸熱液を流入、流出可能に収容した冷却パッドを一対の電極板と生体部分との間にそれぞれ配置し、前記一対の電極板間に高周波電力を印加させることにより前記生体部分を誘電加熱するとともに、前記一対の冷却パッド内のそれぞれに吸熱液を流入、流出させることによって、前記一対の電極板で挟み込まれている前記生体部分の発生熱を前記冷却パッドを介して吸熱していく高周波加温治療装置であって、
前記吸熱液を撹拌する撹拌手段を前記冷却パッド内に設けたことを特徴とする。
【発明の効果】
【０００８】
この発明によれば、冷却パッド内に凹部が形成されてもその凹部に接する生体表面の発生熱の吸熱を確実に行うことができる。
【図面の簡単な説明】
【０００９】
【図１】この発明に係る高周波加温治療システムの全体構成を示した斜視図である。
【図２】図１に示す高周波加温治療システムの治療ベッドを治療位置へ移動させた場合を示した斜視図である。
【図３】図１に示す高周波加温治療システムの高周波加温治療装置の構成を示したブロック図である。
【図４】図３に示す高周波加温治療装置の下部電極装置の構成を示す断面図である。
【図５】図４のＡ−Ａ線に沿う断面図である。
【図６】図３に示す高周波加温治療装置の上部電極装置の構成を示す断面図である。
【図７】図６のＢ−Ｂ線に沿う断面図である。
【図８】下部電極装置の冷却パッドを生体に押し当てた状態を示した説明図である。
【図８Ａ】上部電極装置の冷却パッドを生体に押し当てた状態を示した説明図である。
【図９】第２実施例の下部電極装置の構成を示した断面図である。
【図１０】図９のＣ−Ｃ線に沿う断面図である。
【図１１】図９に示す下部電極装置の回動パイプ部を示した断面図である。
【図１２】第３実施例の下部電極装置の構成を示した断面図である。
【図１３】図１２のＤ−Ｄ線に沿う断面図である。
【図１４】第４実施例の下部電極装置の構成を示した断面図である。
【図１５】図１４に示す拡散部材の構成を示した断面図である。
【図１６】図１５に示す拡散部材の平面図である。
【図１７】第５実施例の下部電極装置の構成を示した断面図である。
【図１８】図１７のＥ−Ｅ線に沿う断面図である。
【図１９】第６実施例の下部電極装置の構成を示した断面図である。
【図２０】図１９のＦ−Ｆ線に沿う断面図である。
【図２１】図１９に示す軸パイプ及び回転パイプなどの構成を示した断面図である。
【図２１Ａ】回転パイプの断面図である。
【図２２】第７実施例の下部電極装置の構成を示した断面図である。
【図２３】第８実施例の下部電極装置の構成を示した断面図である。
【図２４】他のガントリー本体を示した説明図である。
【発明を実施するための形態】
【００１０】
以下、この発明に係る高周波加温治療装置を備えた高周波加温治療システムの実施の形態である実施例を図面に基づいて説明する。
[第１実施例]
【００１１】
図１及び図２に示す高周波加温治療システム１１は、高周波加温治療装置１０（図３参照）と、治療ベッド２０と、ガントリー３０と、操作テーブル６０とを備えている。
［治療ベッド］
治療ベッド２０は、中央部よりやや左よりに形成された開口２１を有し、この開口２１を挟むようにその上面に設けられたマット２０Ａ,２０Ｂを有する。また、治療ベッド２０は一端側が架台２２に固定され、この架台２２とともにガントリー本体３２の下部に設けられた一対のガイドレール２３（一方のみ図示）に沿って移動するようになっている。治療ベッド２０が図２に示す位置へ移動されると、治療ベッド２０の他端側が載置台２４の上面に載置されるとともに、その開口２１が後述する下部電極装置１００と対向するようになっている。
【００１２】
載置台２４内には、後述する冷却装置７０と高周波電圧発生装置８０とが設けられている。
［ガントリー］
ガントリー３０は、水平方向に貫通した開口部３１を有するガントリー本体３２と、図示しない操作部とを有している。この操作部の操作によって治療ベッド２０はガイドレール２３に沿って移動される。
【００１３】
ガントリー本体３２の開口部３１の内周面３１Ａの下部に下部電極装置１００が設けられており、また、その内周面３１Ａの上部には上部電極装置１２０が設けられている。
［高周波加温治療装置］
高周波加温治療装置１０は、図３に示すように、冷却パッド１０２,１２２と、冷却パッド１０２,１２２内の水を冷却するための冷却装置７０と、下部電極板（電極板）１０１と上部電極板（電極板）１２１との間に高周波電力(高周波電圧)を印加させる高周波電圧発生装置８０とを備えている。
［下部電極装置］
下部電極装置１００は、上下動可能に設けられた円形の下部電極板１０１と、この下部電極板１０１の上面全体を覆うとともに袋状に設けられた冷却パッド１０２とを有している。下部電極板１０１の直径Ｌは、生体部分Ｒの幅Ｎと略同一に設定され（図８参照）、例えば３０cmの大きさに設定されている。
【００１４】
下部電極板１０１には、図４に示すように、２つの孔１０１Ａ,１０１Ｂが形成され、この孔１０１Ａに給水管１０３が嵌入され、孔１０１Ｂには排水管１０４が嵌入されている。給水管１０３及び排水管１０４はホースＨ１ａ,Ｈ１ｂを介して冷却装置７０に接続されている。
【００１５】
下部電極板１０１は、図示しない昇降機構によって昇降するものであり、ガントリー本体３２の操作部(図示せず)の操作によって昇降するようになっている。昇降機構は従来と同様な構成なので、その説明は省略する。
［冷却パッド］
冷却パッド１０２は、絶縁性を有するとともに柔軟性を有する樹脂製の薄膜で形成されている。この冷却パッド１０２内すなわち下部電極板１０１と冷却パッド１０２とで形成される空間内に水（吸熱液）Ｗが流入、流出可能に収容されている。
【００１６】
冷却パッド１０２内には、図４及び図５に示すように、下部電極板１０１の上面の外周囲に沿って第１撹拌手段であるパイプ（撹拌パイプ）１１０が環状に配置されている。このパイプ１１０の先端部は閉塞され、その後端部が給水管１０３の上端である流入口１０３Ａに接続されており、給水管１０３から流入される水がパイプ１１０内に導入されるようになっている。排水管１０４の上端が流出口（排水口）１０４Ａとなっており、この流出口１０４Ａから冷却パッド１０２内の水Ｗが排出されていくようになっている。
【００１７】
パイプ１１０の外側面の上部には複数の孔１１０Ａが形成され、パイプ１１０内に導入された水がこの孔１１０Ａから矢印で示すように上方に向けて噴出し、拡散していく。
［上部電極装置］
上部電極装置１２０は、図３及び図６に示すように、上下動可能に且つ周方向に沿ってスライド移動可能に設けられた上部電極板（電極板）１２１と、この上部電極板１２１の下面全体を覆うとともに袋状に設けられた冷却パッド１２２とを有している。上部電極板１２１も下部電極板１０１と同一形状及び同一の大きさに設定されている。
【００１８】
上部電極板１２１には２つの孔１２１Ａ,１２１Ｂが形成され、この孔１２１Ａに給水管１２３が嵌入され、孔１２１Ｂには排水管１２４が嵌入されている。給水管１２３及び排水管１２４はホースＨ２ａ,Ｈ２ｂを介して冷却装置７０に接続されている。
【００１９】
上部電極板１２１は、図示しない昇降機構によって昇降するものであり、ガントリー本体３２の操作部(図示せず)の操作によって昇降するようになっている。また、上部電極板１２１は図示しないスライド機構によって周方向に沿って図３に示す鎖線位置Ｓ１,Ｓ２の範囲でスライド移動可能となっている。昇降機構及びスライド機構は従来と同様な構成なので、その説明は省略する。
［冷却パッド］
冷却パッド１２２は、絶縁性を有するとともに柔軟性を有する樹脂製の薄膜で形成されている。この冷却パッド１２２内すなわち上部電極板１２１と冷却パッド１２２とで形成される空間内に水（吸熱液）Ｗが流入、流出可能に収容されている。
【００２０】
冷却パッド１２２内には、図６及び図７に示すように、上部電極板１２１の外周囲に沿って第２撹拌手段である環状のパイプ（撹拌パイプ）１３０が配置されている。このパイプ１３０の先端部は閉塞されその後端部が給水管１２３の下端である流入口１２３Ａに接続され、給水管１２３から流入される水がパイプ１３０内に導入される。排水管１２４の上端が流出口（排水口）１２４Ａとなっており、この流出口１２４Ａから冷却パッド１２２内の水Ｗが排出されていくようになっている。
【００２１】
パイプ１３０の外側面の下部には複数の孔１３０Ａが形成され、パイプ１３０内に導入された水がこの孔１３０Ａから矢印で示すように下方に向けて噴出し、拡散していくようになっている。
［冷却装置］
冷却装置７０は、図３に示すように、水を冷却する冷却器７１と、この冷却器７１で冷却された水を冷却パッド１０２,１２２内へ送給するポンプＰ１,Ｐ２と、貯水するタンク７２とを有している。ポンプＰ１,Ｐ２と給水管１０３,１２３はホースＨ１ａ,Ｈ２ａによって連通され、タンク７２と排水管１０４,１２４とがホースＨ１ｂ,Ｈ２ｂによって連通されている。そして、ポンプＰ１,Ｐ２により、水はホースＨ１ａ,Ｈ２ａ、給水管１０３,１２３、パイプ１１０,１３０(図４ないし図７参照)、冷却パッド１０２,１２２、排水管１０４,１２４、タンク７２、冷却器７１とへ循環していくことになる。
【００２２】
冷却器７１は、冷凍サイクルを実行するための図示しない蒸発器、コンプレッサ、凝縮器及び膨張弁を内部に備え、タンク７２から送水されてくる水を冷却していくものである。
［高周波電圧発生装置］
高周波電圧発生装置８０は、図３に示すように、高周波電力（高周波電圧）を発生する高周波発生回路８１と、この高周波発生回路８１と負荷インピーダンスとのインピーダンス整合を行う整合回路８２と、負荷（電極板に挟み込まれる冷却パッド１０２,１２２及び生体で構成される負荷）に供給される高周波電力を計測する高周波電力計８３とを有している。
【００２３】
高周波発生回路８１は、周波数の低い第１高周波と、周波数の高い第２高周波とのどちらか一方を選択してその選択した周波数の高周波電力を出力することができるようになっている。深層の患部に対しては第１高周波を選択し、表層の患部に対しては第２高周波を選択する。
【００２４】
整合回路８２は、マッチング用の直並列の可変コンデンサＣａ,Ｃｂ(図示せず)を有している。可変コンデンサＣａ,Ｃｂは、容量が変更されることで常に供給電力Ｐが最大となるようにするものであり、後述する制御回路９０の制御信号に基づいて容量が変更される。この容量の変更はモータ(図示せず)によって行われるようになっている。
【００２５】
高周波電力計８３は、下部電極板１０１及び上部電極板１２１への入射電力Ｐ１とその両電極板１０１,１２１からの反射電力Ｐ２を検出し、これら電力Ｐ１,Ｐ２から負荷側に供給される供給電力Ｐ（Ｐ１−Ｐ２）を求める。この求めた供給電力Ｐの計測値は制御回路９０に入力される。
【００２６】
制御回路９０は、その計測値に基づいて供給電力Ｐが最大値を維持するように、整合回路８２の可変コンデンサＣａ,Ｃｂの容量をモータの制御によって調整するようになっている。
［操作テーブル］
操作テーブル６０には、各種の操作を行う操作部６１と、表示部６２１とが設けられている。制御回路９０は操作テーブル６０内に設けられているが、載置台２４内に設けてもよい。
【００２７】
操作部６１は、患者識別番号、治療時間、高周波電圧発生装置８０が出力する高周波電力の出力値、周波数等を入力するようになっている。
【００２８】
表示部６２には、操作部６１によって設定した高周波電力の設定値、治療時間、治療開始時からの経過時間、高周波電力計８３が計測した供給電力Ｐ、患部部位の温度を測定する温度計の測定値などが表示されるようになっている。
［動  作］  
次に、上記のように構成される高周波加温治療システム１１の動作について説明する。
【００２９】
先ず、治療ベッド２０を図１に示す位置へ移動させておき、生体である患者(図示せず)の患部が治療ベッド２０の開口２１に位置するようにして、患者を治療ベッド２０に寝かせる。例えば、胸や腹部が開口２１に位置するように、患者の肩をマット２０Ｂ上に載せ、患者の腰をマット２０Ａ上に載せる。
【００３０】
次に、ガントリー３０の操作部(図示せず)を操作して、治療ベッド２０をガイドレール２３に沿って図２に示す位置へ移動させる。この移動により、ガントリー本体３２の下部電極装置１００が治療ベッド２０の開口２１の下に位置し、上部電極装置１２０がその開口２１の上方に位置される。
【００３１】
そして、下部電極装置１００を上昇させるとともに上部電極装置１２０を下降させて患部のある生体部分を挟み込む。なお、操作部６１の操作によって患者識別情報、治療時間、高周波電力の出力値、治療に使用する第１高周波または第２高周波数等を予め入力しておく。
【００３２】
次いで、操作部６１のスタートスイッチ(図示せず)をオンする。これにより、高周波電圧発生装置８０から選択された第１高周波または第２高周波の高周波電力が出力されて両電極板１０１,１２１間に印加される。これにより、患部が誘電加熱されて加温治療が行われていく。
【００３３】
一方、スタートスイッチのオンにより、図３に示す冷却装置７０が動作して冷却された水がポンプＰ１,Ｐ２によりホースＨ１ａ,Ｈ２ａを介して給水管１０３,１２３へ送給される。給水管１０３,１２３へ送給された水はパイプ１１０,１３０内に導入され、さらにパイプ１１０,１３０の複数の孔１１０Ａ,１３０Ａから図４ないし図７に示すように噴出される。この噴出により、冷却パッド１０２,１２２内の水Ｗが撹拌された状態となり、冷却パッド１０２,１２２に当接する生体部分の表面の発生熱が効率よく吸熱されていく。
【００３４】
ところで、冷却パッド１０２は、図８に示すように、生体部分Ｒを押し当てていることにより、生体部分Ｒの形状に沿って例えば冷却パッド１０２内の両側で凹部１０２Ａ,１０２Ｂが形成される。このような場合でも、パイプ１１０の複数の孔１１０Ａからの上向きの水の噴出によって冷却パッド１０２内の水Ｗが撹拌された状態となることにより、その凹部１０２Ａ,１０２Ｂ内には、矢印Ｑ１,Ｑ２で示すように水流が生じ、凹部１０２Ａ,１０２Ｂ内に水が淀んでしまうことがない。このため、その凹部１０２Ａ,１０２Ｂに当接する生体部分Ｒの表面Ｒａ，Ｒｂの発生熱を効率よく吸熱していくことができる。
【００３５】
同様に、図８Ａに示すように、生体部分Ｒによって冷却パッド１２２内の両側で凹部１２２Ａ,１２２Ｂが形成されても、パイプ１３０の複数の孔１３０Ａからの水の下向きの噴出によって冷却パッド１２２内の水Ｗが撹拌される状態になることにより、その凹部１２２Ａ,１２２Ｂ内には、矢印Ｑ３,Ｑ４で示すように水流が生じ、凹部１２２Ａ,１２２Ｂ内に水が淀んでしまうことがない。このため、その凹部１２２Ａ,１２２Ｂに当接している生体部分Ｒの表面Ｒｃ,Ｒｄの発生熱を効率よく吸熱していくことができる。
【００３６】
ところで、図８に示すように、従来では電極板の径（＝ｒ）が小さく、この小さな電極板の場合、冷却パッド１０２′内の両側に形成される凹部１０２Ａ′,１０２Ｂ′の深さは浅く、このためその凹部１０２Ａ′,１０２Ｂ′に水の淀みはあまり生じない。このため、その凹部１０２Ａ′,１０２Ｂ′内の水が高温になってしまうという問題は生じない。しかし、電極板１０１の径を大きくすると、冷却パッド１０２内の両側に深い凹部１０２Ａ,１０２Ｂが形成され、その凹部１０２Ａ,１０２Ｂ内の水が淀んで高温になってしまうという問題が発生することになるが、この実施例によればこのような問題は解消されることになる。冷却パッド１２２内にも深い凹部１２２Ａ,１２２Ｂが形成されても同様に問題は生じない。
【００３７】
ここで、パイプ１１０が軟質の樹脂製の場合、いわゆるゴム製等のホースである場合、組み付け時に例えば図５の鎖線に配置しておけば、最初にパイプ１１０に水を導入させたとき、その水圧によりパイプ１１０は平面方向に広がって実線で示す位置に移動していく。以後、治療を行うごとにこの位置に移動したパイプ１１０の孔１１０Ａから水を噴出させることができることになる。なお、パイプ１１０が硬質樹脂の場合、実線で示す位置に配置する。
［第２実施例］
図９及び図１０は第２実施例の下部電極装置２００の構成を示す。この下部電極装置２００は、パイプ１１０の替わりに弾性力を有するパイプ２１０を設けたものである。
【００３８】
パイプ２１０は、給水管１０３の流入口１０３Ａに接続された軸パイプ部２１１と、この軸パイプ部２１１の上部から下部電極板１０１の面に沿って位置した回動パイプ部２１２とを有している。軸パイプ部２１１は下部電極板１０１の面に直交しており、回動パイプ部２１２は複数の孔２１２Ａを形成している。各孔２１２Ａの向きは、図１１に示すように、水平方向に対して上方向にほぼ４５°の角度に設定されている。
【００３９】
上部電極装置２２０(図示せず)も同様に構成するので、以下に下部電極装置２００のみについて説明する。
【００４０】
回動パイプ部２１２の複数の孔２１２Ａから水を噴出させると、孔２１２Ａが水平方向に対して４５°の斜め上方に向いていることにより、回動パイプ部２１２は孔２１２Ａからの水の噴出力によって、図１０に示すように時計回りに回動していくとともに、孔２１２Ａから噴出した水は冷却パッド１０２の裏面に向かっていくので、冷却パッド１０２に当接する生体部分の表面の発生熱が効率よく吸熱されていく。
【００４１】
回動パイプ部２１２が鎖線位置まで回動したら、その水の噴出を停止させる。これにより、回動パイプ部２１２は弾性力により元の位置に戻る。再度、回動パイプ部２１２の複数の孔２１２Ａから水を噴出させる。すなわち、水の噴出を断続的に行うことにより、回動パイプ部２１２が実線の位置と鎖線の位置との間を往復移動する。この往復移動によって、冷却パッド１０２内の水Ｗが効率よく撹拌されていき、図８に示すように、冷却パッド１０２内に凹部１０２Ａ,１０２Ｂが形成されても、凹部１０２Ａ,１０２Ｂ内に水が淀んでしまうことがなく、生体部分Ｒの表面Ｒａ,Ｒｂの発生熱を効率よく吸熱していくことができる。
【００４２】
なお、回動パイプ部２１２の孔２１２Ａから噴出する水の水圧の変化を大きくすると、より大きな噴出力が得られ、回動パイプ部２１２を変形し易くなる。
［第３実施例］
図１２及び図１３は第３実施例の下部電極装置３００の構成を示す。この下部電極装置３００は、パイプ１１０の替わりに先端部が閉塞された環状パイプ３１０を設けたものであり、この環状パイプ３１０には真上に向いた複数の孔３１０Ａが形成されている。
【００４３】
この複数の孔３１０Ａから真上に向けて水が噴出し、この噴出した水によって冷却パッド１０２内の水Ｗが撹拌された状態となり、しかもその噴出した水が冷却パッド１０２の裏面に直接当たる状態となるので、冷却パッド１０２の裏面に当接する生体部分の表面の発生熱が効率よく吸熱されていくことになる。しかも、複数の孔３１０Ａの水の噴出により、冷却パッド１０２内の水Ｗが撹拌されていく状態となるので、図８に示すように、冷却パッド１０２内に凹部１０２Ａ,１０２Ｂが形成されても、凹部１０２Ａ,１０２Ｂ内に水が淀んでしまうことがなく、生体部分Ｒの表面Ｒａ,Ｒｂの発生熱を効率よく吸熱していくことができる。
【００４４】
図示しない上部電極装置３２０も同様な構成であり、同様な効果を得ることができる。
［第４実施例］
図１４は第４実施例の下部電極装置４００の構成を示す。この下部電極装置４００は、給水管１０３の上端の流入口１０３Ａに拡散部材４０１を設けたものである。
【００４５】
拡散部材４０１は、図１５及び図１６に示すように、仕切壁４０２ａ〜４０２ｄによって形成された４つの噴出口４０２Ａ〜４０２Ｄを有しており、この噴出口４０２Ａ〜４０２Ｄは図１６に示すように４方向の斜め上方に向けられている。
【００４６】
この拡散部材４０１の噴出口４０２Ａ〜４０２Ｄから４方向の斜め上方に向けて水が噴出されると、この噴出により冷却パッド１０２内の水Ｗが撹拌された状態となり、しかもその噴出した水が冷却パッド１０２の裏面に直接当たる状態となるので、冷却パッド１０２の裏面に当接する生体部分の表面の発生熱が効率よく吸熱されていくことになる。
【００４７】
また、噴出口４０２Ａ〜４０２Ｄからの水の噴出により、冷却パッド１０２内の水Ｗが撹拌されていく状態となるので、図８に示すように、冷却パッド１０２内に凹部１０２Ａ,１０２Ｂが形成されても、凹部１０２Ａ,１０２Ｂ内に水が淀んでしまうことがなく、生体部分Ｒの表面Ｒａ,Ｒｂの発生熱を効率よく吸熱していくことができる。
【００４８】
図示しない上部電極装置４２０も同様な構成であり、同様な効果を得ることができる。
［第５実施例］
図１７及び図１８は第５実施例の下部電極装置５００を示す。この下部電極装置５００は、排水管１０４の流出口１０４Ａに環状パイプ５０１を接続し、給水管１０３の流入口１０３Ａを下部電極板１０１の中央部に配置したものである。
【００４９】
環状パイプ５０１には複数の孔５０１Ａが形成され、この孔５０１Ａから冷却パッド１０２内の水Ｗが排水されていくようになっている。
【００５０】
給水管１０３の流入口１０３Ａから水を噴出させると、環状パイプ５０１には複数の孔５０１Ａから冷却パッド１０２内の水Ｗが排水されていき、この排水により、冷却パッド１０２内の水Ｗが撹拌された状態となり、しかも、流入口１０３Ａから噴出される水が冷却パッド１０２の裏面に直接当たる状態となるので、冷却パッド１０２の裏面に当接する生体部分の表面の発生熱が効率よく吸熱されていく。
【００５１】
また、環状パイプ５０１には複数の孔５０１Ａから冷却パッド１０２内の水Ｗが排水されていくことにより、矢印Ｕ１,Ｕ２で示す水流が形成されるので、図８に示すように、冷却パッド１０２内の両側で凹部１０２Ａ,１０２Ｂが形成されても、その凹部１０２Ａ,１０２Ｂ内には水の流れが生じ、その凹部１０２Ａ,１０２Ｂに当接する生体部分Ｒの表面Ｒａの発生熱を効率よく吸熱していくことができる。
【００５２】
なお、環状パイプ５０１の孔５０１Ａから排水される排水力が弱い場合には、排水用のポンプを設けて強制的に排水を行うようにしてもよい。
【００５３】
図示しない上部電極装置５２０も同様な構成であり、同様な効果を得ることができる。
［第６実施例］
図１９ないし図２１は第６実施例の下部電極装置６００を示す。この下部電極装置６００は、下部電極板１０１の中央部に固定された軸パイプ（第１軸パイプ部）６０１と、この軸パイプ６０１に回転可能に嵌合された円筒状のキャプ部材６０２と、キャップ部材６０２に接続された４つの回転パイプ（第１回転パイプ部）６０３〜６０６とを有している。
【００５４】
軸パイプ６０１は、給水管１０３に連通されており、給水管１０３に送給された水が軸パイプ６０１内に導入されるようになっている。
【００５５】
回転パイプ６０３〜６０６は、キャップ部材６０２を介して軸パイプ６０１に連通されており、軸パイプ６０１内に導入された水はキャップ部材６０２を介して回転パイプ６０３〜６０６内に導入されるようになっている。
【００５６】
回転パイプ６０３〜６０６には、複数の孔６０３Ａ〜６０６Ａが形成されており、各孔６０３Ａ〜６０６Ａの向きは、回転パイプ６０３〜６０６が時計回りに回転するように、且つ、図２１Ａに示すように水平方向に対して４５°の斜め上方向に設定されている。また、各孔６０３Ａ〜６０６Ａは、図２０に示すように、回転パイプ６０３〜６０６の先端部側にある孔６０３Ａ〜６０６Ａほど先端側に向くように設定されている。
【００５７】
給水管１０３に水が送給されてくると、軸パイプ６０１及びキャップ部材６０２を介して回転パイプ６０３〜６０６内に導入され、回転パイプ６０３〜６０６の各孔６０３Ａ〜６０６Ａから水が噴出されていき、この噴出により回転パイプ６０３〜６０６がキャップ部材６０２とともに図２０において時計回りに回転していく。回転パイプ６０３〜６０６の各孔６０３Ａ〜６０６Ａの水の噴出及び回転パイプ６０３〜６０６の回転により冷却パッド１０２内の水Ｗが大きく撹拌されていく。
【００５８】
この撹拌により、冷却パッド１０２の裏面に当接する生体部分の表面の発生熱が効率よく吸熱されていく。
【００５９】
また、図８に示すように、冷却パッド１０２内の両側で凹部１０２Ａ,１０２Ｂが形成されても、回転パイプ６０３〜６０６が回転されていることにより、その凹部１０２Ａ,１０２Ｂ内には、回転パイプ６０３〜６０６の各孔６０３Ａ〜６０６Ａから噴出する水が確実に入り込む。このため、その凹部１０２Ａ,１０２Ｂ内には水流が生じ、その凹部１０２Ａ,１０２Ｂに当接する生体部分Ｒの表面Ｒａ,Ｒｂの発生熱を吸熱していくことができる。
【００６０】
さらに、回転パイプ６０３〜６０６が回転することにより、冷却パッド１０２内の水Ｗが大きく撹拌されていくので、その凹部１０２Ａ,１０２Ｂ内に確実に水流を発生させることができ、生体部分Ｒの表面Ｒａ,Ｒｂの発生熱をより確実に吸熱していくことができることになる。
【００６１】
図示しない上部電極装置６２０も同様な構成であり、同様な効果を得ることができる。
【００６２】
この実施例では、４つの回転パイプ６０３〜６０６を有しているが、これに限らず、他の複数であってもよく、また１つであってもよい。
［第７実施例］
図２２は第７実施例の下部電極装置６１０を示す。この下部電極装置６１０は、第６実施例と同様なパイプ６１３〜６１６を有しており、このパイプ６１３〜６１６は回転しないようになっている。このパイプ６１３〜６１６には、第６実施例と同様に、複数の孔６１３Ａ〜６１６Ａが形成されている。
【００６３】
また、生体部分Ｒの幅方向のパイプ６１３,６１５はパイプ６１４,６１６より長く設定されている。これは、生体分Ｒの幅方向の冷却パッド１０２内の両側に凹部１０２Ａ,１０２Ｂ（図８参照）が形成されるので、その凹部１０２Ａ,１０２Ｂ内に水流を発生させるためである。また、上下方向（図２２において）の上部と下部には冷却パッド１０２内に凹部が形成されないので、パイプ６１４,６１６は短くてもよい。
【００６４】
この第７実施例の下部電極装置６１０では、このパイプ６１３〜６１６の孔６１３Ａ〜６１６Ａから矢印に示す方向に水が噴出されると、冷却パッド１０２内に反時計回りの渦流が形成され、冷却パッド１０２に当接する生体部分Ｒの表面の発生熱を効率より吸熱していくことになる。
［第８実施例］
図２３は第８実施例の下部電極装置７００を示す。この下部電極装置７００は、冷却パッド１０２内に熱交換膜７０１を設け、この熱交換膜７０１と下部電極板１０１とで冷却室７０２を形成し、熱交換膜７０１と冷却パッド１０２とで吸熱室を形成し、冷却室７０２に不凍液などの冷却液Ｇを封入し、吸熱室７０３に水Ｗを封入したものである。
【００６５】
冷却液Ｇは、図３に示す冷却装置７０によって冷却して冷却パッド１０２内の冷却室７０２に送給される。また、冷却室７０２内の冷却液Ｇは冷却装置７０へ排出されることになる。
【００６６】
この第７実施例によれば、冷却液Ｇを低い温度に設定することができるので、吸熱室７０３の水Ｗ全体を熱交換膜７０１を介して効率よく吸熱していくことができる。このため、図８に示すように、冷却パッド１０２内の両側で凹部１０２Ａ,１０２Ｂが形成されても、この凹部１０２Ａ,１０２Ｂの水Ｗの温度を下げることができ、その凹部１０２Ａ,１０２Ｂに当接している生体部分Ｒの表面Ｒｂの発生熱を効率よく吸熱していくことができる。
【００６７】
図示しない上部電極装置７２０も同様な構成であり、同様な効果を得ることができる。
［他の例］
上記実施例は、いずれも下部電極装置１００〜７００及び上部電極装置１２０〜７２０をガントリー本体３２に装着するものであるが、図２４に示すように、開閉する支持アーム８０１を有するガントリー本体８０２に下部電極装置１００〜７００及び上部電極装置１２０〜７２０を装着してもよい。上部電極装置１２０〜７２０は、図２４に示す鎖線位置Ｓ３,Ｓ４の範囲でスライド移動可能となっている。
【００６８】
なお、支持アーム８０１は図示しない開閉機構によって開閉するようになっており、この開閉機構は従来と同様な構成なので、その説明は省略する。
【００６９】
上記実施例は、いずれも冷却パッド１０２を下部電極板１０１に、冷却パッド１２２を上部電極板１２１にそれぞれ取り付けて、下部電極板１０１と冷却パッド１０２とで、上部電極板１２１と冷却パッド１２２とで水Ｗを封入する空間をそれぞれ形成しているが、冷却パッド１０２,１２２のみで水Ｗを封入する空間を形成してもよい。この場合、各電極板１０１,１２１に取り付けなくてもよい。
【００７０】
第１,第３〜第６実施例では、治療中の間、冷却パッド１０２,１２２内に水を送給し続けるが、第２実施例と同様にその送給を断続させるようにしてもよい。このようにすることにより、冷却パッド１０２,１２２内の水Ｗを効率よく撹拌させることができる。
【００７１】
また、上記実施例では、下部電極装置１００〜７００と上部電極装置１２０〜７２０とは同じ構成となっているが、必ずしも同じ構成である必要はなく、例えば、下部電極装置１００に対して上部電極装置２２０〜７２０のいずれかを採用してもよい。
【００７２】
この発明は、上記実施例に限られるものではなく、請求の範囲の各請求項に係る発明の要旨を逸脱しない限り、設計の変更や追加等は許容される。
【図１】
2016092654.tif 000003
【図２】
2016092654.tif 000004
【図３】
2016092654.tif 000005
【図４】
2016092654.tif 000006
【図５】
2016092654.tif 000007
【図６】
2016092654.tif 000008
【図７】
2016092654.tif 000009
【図８】
2016092654.tif 000010
【図８Ａ】
2016092654.tif 000011
【図９】
2016092654.tif 000012
【図１０】
2016092654.tif 000013
【図１１】
2016092654.tif 000014
【図１２】
2016092654.tif 000015
【図１３】
2016092654.tif 000016
【図１４】
2016092654.tif 000017
【図１５】
2016092654.tif 000018
【図１６】
2016092654.tif 000019
【図１７】
2016092654.tif 000020
【図１８】
2016092654.tif 000021
【図１９】
2016092654.tif 000022
【図２０】
2016092654.tif 000023
【図２１】
2016092654.tif 000024
【図２１Ａ】
2016092654.tif 000025
【図２２】
2016092654.tif 000026
【図２３】
2016092654.tif 000027
【図２４】
2016092654.tif 000028
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
吸熱液を流入、流出可能に収容した冷却パッドを一対の電極板と生体部分との間にそれぞれ配置し、前記一対の電極板間に高周波電力を印加させることにより前記生体部分を誘電加熱するとともに、前記一対の冷却パッド内のそれぞれに吸熱液を流入、流出させることによって、前記一対の電極板で挟み込まれている前記生体部分の発生熱を前記冷却パッドを介して吸熱していく高周波加温治療装置であって、
前記吸熱液を撹拌する撹拌手段を前記冷却パッド内に設け、
前記撹拌手段は、冷却パッド内に吸熱液を流入させる流入口に接続されると共に、複数の孔を有し且つ前記電極板の外周囲に沿って環状に形成された撹拌パイプを有し、前記流入口から流入される吸熱液を前記撹拌パイプ内に導入させて該撹拌パイプの複数の孔から前記冷却パッドの裏面に向けて噴出させることによって前記冷却パッド内の吸熱液を撹拌させることを特徴とする高周波加温治療装置。
【請求項５】
吸熱液を流入、流出可能に収容した冷却パッドを一対の電極板と生体部分との間にそれぞれ配置し、前記一対の電極板間に高周波電力を印加させることにより前記生体部分を誘電加熱するとともに、前記一対の冷却パッド内のそれぞれに吸熱液を流入、流出させることによって、前記一対の電極板で挟み込まれている前記生体部分の発生熱を前記冷却パッドを介して吸熱していく高周波加温治療装置であって、
前記吸熱液を撹拌する撹拌手段を前記冷却パッド内に設け、
前記撹拌手段は、冷却パッド内に吸熱液を流入させる流入口に接続され且つ複数の孔を有する撹拌パイプを有し、前記流入口から流入される吸熱液を前記撹拌パイプ内に導入させて該撹拌パイプの複数の孔から噴出させることによって前記冷却パッド内の吸熱液を撹拌させ、
前記撹拌パイプは、前記電極板に対して直交する方向に設けられた軸パイプ部と、この軸パイプ部の先端から電極板の面に沿って配置された弾性変形可能な且つ前記複数の孔を有する回動パイプ部とを有し、
前記回動パイプ部は、前記複数の孔から吸熱液が噴出されることによって前記軸パイプ部を中心にして回動し、
前記回動パイプ部の複数の孔からの吸熱液の噴出を断続的に行うことによって、該回動パイプ部を所定範囲の間を往復回動させることを特徴とする高周波加温治療装置。
【請求項６】
前記回動パイプ部の複数の孔の向きは、この孔から噴出される吸熱液が冷却パッドの裏面に向うとともに回動パイプを回動させる方向に設定されていることを特徴とする請求項５に記載の高周波加温治療装置。
【請求項７】
吸熱液を流入、流出可能に収容した冷却パッドを一対の電極板と生体部分との間にそれぞれ配置し、前記一対の電極板間に高周波電力を印加させることにより前記生体部分を誘電加熱するとともに、前記一対の冷却パッド内のそれぞれに吸熱液を流入、流出させることによって、前記一対の電極板で挟み込まれている前記生体部分の発生熱を前記冷却パッドを介して吸熱していく高周波加温治療装置であって、
前記吸熱液を撹拌する撹拌手段を前記冷却パッド内に設け、
前記撹拌手段は、冷却パッド内に吸熱液を流入させる流入口に接続され且つ複数の孔を有する撹拌パイプを有し、前記流入口から流入される吸熱液を前記撹拌パイプ内に導入させて該撹拌パイプの複数の孔から噴出させることによって前記冷却パッド内の吸熱液を撹拌させ、
前記撹拌パイプは、前記電極板の中央部にその電極面に直交する方向に設けた軸パイプ部と、この軸パイプ部の先端部に回転可能に設けられ且つ電極板の面に沿って配置された回転パイプ部とを有し、この回転パイプ部は前記複数の孔を有し、
前記回転パイプ部の複数の孔の向きは、この孔から噴出される吸熱液が前記冷却パッドの裏面に向うとともに回転パイプ部を回転させるように設定されていることを特徴とする高周波加温治療装置。
【請求項８】
（削除）
【請求項９】
（削除）
【請求項１０】
吸熱液を冷却する冷却手段と、この冷却手段で冷却した吸熱液を前記冷却パッド内へ送給するポンプとを有する冷却装置を備え、
この冷却装置は、冷却された吸熱液を前記ポンプで冷却パッド内へ送給して、この冷却パッド内の吸熱液を前記冷却手段へ戻すことによって、該吸熱液を前記冷却パッドと冷却手段との間で循環させることを特徴とする請求項４ないし請求項７のいずれか１項に記載の高周波加温治療装置。
【請求項１１】
（削除）
【請求項１２】
（削除）
【請求項１３】
前記一対の電極板のそれぞれは、円形をなすとともに、その直径は前記生体部分の幅方向の寸法と略同一であることを特徴とする請求項４ないし請求項７のいずれか１項に記載の高周波加温治療装置。
【国際調査報告】
2016092654.tif 000029
2016092654.tif 000030
2016092654.tif 000031
2016092654.tif 000032